【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
創傷開口の中に挿入するための遠位部材と、
前記創傷開口の外側に配置するための近位部材と、
少なくとも前記遠位部材と前記近位部材との間を延長して前記創傷開口の側部を横方向に開創する結合部材と、
前記遠位部材を前記創傷開口から取り除くために前記遠位部材を開創形態から解放するための解放部材とを備え、
前記解放部材が、前記創傷開口の中を二層で延長するように構成されている創傷レトラクタ。
【請求項２】
前記解放部材が前記遠位部材と前記近位部材との間を二層で延長する請求項１に記載の創傷レトラクタ。
【請求項３】
バルブを備える請求項１又は２に記載の創傷レトラクタ。
【請求項４】
前記バルブが前記近位部材に取り付けられている請求項３に記載の創傷レトラクタ。
【請求項５】
前記解放部材が前記遠位部材の周りを巻いている請求項１乃至４のいずれかに記載の創傷レトラクタ。
【請求項６】
前記解放部材の第１端部が前記近位部材及び／又は前記バルブに取り付けられている請求項３乃至５のいずれかに記載の創傷レトラクタ。
【請求項７】
前記解放部材の前記第１端部が前記バルブの前記ハウジング部分に取り付けられている請求項６に記載の創傷レトラクタ。
【請求項８】
前記解放部材の前記第１端部が前記近位部材及び／又は前記バルブに固着されている請求項６又は７に記載の創傷レトラクタ。
【請求項９】
前記解放部材の第２端部が前記近位部材に関して動かすことができる請求項１乃至８のいずれかに記載の創傷レトラクタ。
【請求項１０】
前記解放部材の前記第２端部が前記近位部材に関して軸方向に動かすことができる請求項９に記載の創傷レトラクタ。
【請求項１１】
前記解放部材の前記第２端部が前記近位部材に関して滑らせて動かすことができる請求項９又は１０に記載の創傷レトラクタ。
【請求項１２】
前記解放部材が前記遠位部材に関して滑らせて動かすことができる請求項１乃至１１のいずれかに記載の創傷レトラクタ。
【請求項１３】
創傷開口の中に挿入するための遠位部材と、
前記創傷開口の外側に配置するための近位部材と、
少なくとも前記遠位部材と前記近位部材との間を延長して前記創傷開口の側部を横方向に開創する結合部材と、
前記遠位部材を前記創傷開口から取り除くために前記遠位部材を開創形態から解放するための解放部材とを備え、
前記解放部材が、該解放部材の近位端部が前記近位部材付近まで至る装着形態を有する創傷レトラクタ。
【請求項１４】
バルブを備える請求項１３に記載の創傷レトラクタ。
【請求項１５】
前記バルブが前記近位部材に取り付けられている請求項１４に記載の創傷レトラクタ。
【請求項１６】
前記バルブが器具用シールである請求項１４又は１５に記載の創傷レトラクタ。
【請求項１７】
前記装着形態において、前記解放部材の前記近位端部が前記近位部材及び／又は前記バルブに取り付けられている請求項１３乃至１６のいずれかに記載の創傷レトラクタ。
【請求項１８】
前記装着形態において、前記解放部材の前記近位端部が前記近位部材及び／又は前記バルブに解放可能に取り付けられている請求項１７に記載の創傷レトラクタ。
【請求項１９】
前記解放部材が前記装着形態から配置形態に動かすことができる請求項１３乃至１８のいずれかに記載の創傷レトラクタ。
【請求項２０】
前記装着形態において、前記解放部材の少なくとも一部分が折り畳まれる請求項１３乃至１９のいずれかに記載の創傷レトラクタ。
【請求項２１】
前記配置形態において、前記解放部材の前記近位端部が前記近位部材の近位側に延長する請求項１９又は２０に記載の創傷レトラクタ。
【請求項２２】
前記配置形態において、前記解放部材の前記近位端部が前記近位部材からかつ／又は前記バルブから取り外される請求項１９乃至２１のいずれかに記載の創傷レトラクタ。
【請求項２３】
前記開創形態において、前記遠位部材が創傷開口の長手方向軸に垂直な面内に配置される請求項１乃至２２のいずれかに記載の創傷レトラクタ。
【請求項２４】
前記開創形態において、前記遠位部材が創傷開口付近の体組織の内壁に係合する請求項１乃至２３のいずれかに記載の創傷レトラクタ。
【請求項２５】
前記解放部材が、前記遠位部材を前記開創形態から解放するように引っ張ることができる請求項１乃至２４のいずれかに記載の創傷レトラクタ。
【請求項２６】
前記解放部材の遠位端部が前記遠位部材に取り付けられている請求項１乃至２５のいずれかに記載の創傷レトラクタ。
【請求項２７】
前記結合部材が、前記遠位部材と前記近位部材との間を二層で延長する請求項１乃至２６のいずれかに記載の創傷レトラクタ。
【請求項２８】
前記解放部材の少なくとも一部分が柔軟である請求項１乃至２７のいずれかに記載の創傷レトラクタ。
【請求項２９】
前記解放部材が引き紐からなる請求項２８に記載の創傷レトラクタ。
【請求項３０】
前記引き紐がリボンからなる請求項２９に記載の創傷レトラクタ。
【請求項３１】
前記解放部材がつかみ部を有する請求項１乃至３０のいずれかに記載の創傷レトラクタ。
【請求項３２】
前記つかみ部がリング部材からなる請求項３１に記載の創傷レトラクタ。
【請求項３３】
前記つかみ部の少なくとも一部分が柔軟である請求項３１又は３２に記載の創傷レトラクタ。
【請求項３４】
前記結合部材がスリーブからなる請求項１乃至３３のいずれかに記載の創傷レトラクタ。
【請求項３５】
前記結合部材が、前記遠位部材と前記近位部材との間にある軸方向長さを短くするべく前記結合部材を上向きに引っ張るために近位つかみ部を有する請求項１乃至３４のいずれかに記載の創傷レトラクタ。
【請求項３６】
前記結合部材が第１端部において前記近位部材に固定され、かつ第２端部において前記近位部材の上を動かすことができる請求項１乃至３５のいずれかに記載の創傷レトラクタ。
【請求項３７】
前記近位部材が前記結合部材内に配置されている請求項１乃至３６のいずれかに記載の創傷レトラクタ。
【請求項３８】
前記近位部材が、前記遠位部材と前記近位部材間にある前記結合部材の前記軸方向長さを所望の長さで固定するように構成した固定構造の一部を形成する請求項１乃至３７のいずれかに記載の創傷レトラクタ。
【請求項３９】
前記遠位部材が遠位リングからなる請求項１乃至３８のいずれかに記載の創傷レトラクタ。
【請求項４０】
前記近位部材が近位リングからなる請求項１乃至３９のいずれかに記載の創傷レトラクタ。
【請求項４１】
前記結合部材が柔軟な材料からなる請求項１乃至４０のいずれかに記載の創傷レトラクタ。
【請求項４２】
前記結合部材の近位部分のためのガイド部材を更に備える請求項１乃至４１のいずれかに記載の創傷レトラクタ。
【請求項４３】
前記結合部材が前記ガイド部材と前記近位部材との間を延長する請求項４２に記載の創傷レトラクタ。
【請求項４４】
前記解放部材が、前記ガイド部材と前記近位部材との間を少なくとも部分的に延長する請求項４２又は４３に記載の創傷レトラクタ。
【請求項４５】
前記解放部材が、前記ガイド部材と前記近位部材との間の空間内に長手方向に近位側へ延長する請求項４４に記載の創傷レトラクタ。
【請求項４６】
前記解放部材が、前記ガイド部材と前記近位部材との間の空間から長手方向に近位側へ延長する請求項４４又は４５に記載の創傷レトラクタ。
【請求項４７】
前記解放部材が、前記ガイド部材と前記近位部材との間の空間から横断方向に近位側へ延長する請求項４４又は４５に記載の創傷レトラクタ。
【請求項４８】
前記解放部材が前記ガイド部材の壁部の開口の中を延長する請求項４２乃至４７のいずれかに記載の創傷レトラクタ。
【請求項４９】
前記ガイド部材が前記近位部材の受けを有する請求項４２乃至４８のいずれかに記載の創傷レトラクタ。
【請求項５０】
前記ガイド部材が、前記近位部材の受けを画定する内向きの凹みを有する請求項４２乃至４９のいずれかに記載の創傷レトラクタ。
【請求項５１】
前記ガイド部材を前記近位部材に固定するためのロックを更に有する請求項４２乃至５０のいずれかに記載の創傷レトラクタ。